(57)【要約】【課題】利用者の個人認証に用いる片方の目の画像を、比較的離れた位置から誤ることなく撮影することができる目画像取得装置を提供する。【解決手段】認識対象である利用者２の片方の目（例えば、左目２ａ）の画像データを取得する場合、人物の片方の目を撮影してその画像データを取得するためのカメラ１１として、画角が比較的広いレンズを備えたディジタル方式のカメラを用い、このカメラ１１の右側に利用者２が自分の鼻筋を合わせるための目印１２を配置する。目印１２とカメラ１１のレンズの中心間の距離は、平均的な瞳孔間距離Ｌの１／２とする。目画像取得装置で左目２ａの画像データを撮影する場合、利用者２は自分の鼻筋が目印１２の正面に来るように構える。これにより、カメラ１１のレンズのほぼ正面に利用者２の左目２ａが位置することになり、間違いなく利用者２の左目２ａの画像データが得られる。【選択図】図１
2009070068.tif 000002
【特許請求の範囲】
【請求項１】
認識対象の人物の片方の目を撮影してその画像データを取得する撮影手段と、
前記撮影手段の右側または左側で該撮影手段のレンズの中心から平均的な瞳孔間距離の２分の１だけ離れた位置に設けられて前記人物の目を適切な撮影位置に誘導するための誘導手段とを、
備えたことを特徴とする目画像取得装置。
【請求項２】
前記誘導手段は、前記撮影手段の表面で前記人物に対向する面に設けられた目印であることを特徴とする請求項１記載の目画像取得装置。
【請求項３】
前記撮影手段は、横幅が平均的な瞳孔間距離と同じ寸法で中央に前記レンズが配置された筐体に収納され、該筐体の左または右の端部を前記誘導手段として使用させることを特徴とする請求項１記載の目画像取得装置。
【請求項４】
前記誘導手段は、前記人物の目を適切な撮影位置に誘導すると共に該人物に前記認識対象の目の位置を確認させるための鏡であって、前記レンズの光軸に平行する法線を有することを特徴とする請求項１記載の目画像取得装置。
【請求項５】
前記鏡の鏡面に、前記認識対象の目の位置を確認させるための目印を設けたことを特徴とする請求項４記載の目画像取得装置。
【請求項６】
認識対象の人物の片方の目を撮影してその画像データを取得する撮影手段と、
前記撮影手段の右側及び左側に該撮影手段のレンズの中心から平均的な瞳孔間距離の４分の１だけ離れた位置に設けられた鏡であって、該鏡に映った本人の鼻を確認させることによって前記人物の目を適切な撮影位置に誘導するための誘導手段とを、
備えたことを特徴とする目画像取得装置。
【請求項７】
前記撮影手段で取得された画像データにおける前記認識対象の目の画像の位置が正常か否かを判定し、該目の画像の位置がずれている場合に前記認識対象の人物に対して撮影位置を調整させるための指示を行う誘導指示手段を設けたことを特徴とする請求項１〜６のいずれか１項に記載の目画像取得装置。
【請求項８】
前記撮影手段は、前記認識対象の目の画像が丁度収まる程度の画像データを取得できる画角を有するレンズを備えたカメラであることを特徴とする請求項７記載の目画像取得装置。
【発明の詳細な説明】
【技術分野】
【０００１】
本発明は、個人認証等の目的で目の画像（アイリス：虹彩）を取得する目画像取得装置に関するものである。
【背景技術】
【０００２】
図２は、下記特許文献１に記載された従来の携帯電子機器による個人認証方法の説明図である。
【０００３】
この個人認証方法は、携帯電話機等の携帯電子機器１を用い、その使用者２の生体情報としてアイリスを利用して個人認証を行うものである。携帯電子機器１は折畳み型のもので、上本体１ａの表面に鏡１ｂが貼り付けられている。鏡１ｂの中央部にはカメラ窓１ｃが形成されており、機器内部に設けられたカメラから、このカメラ窓１ｃを通して外部を撮影できるようになっている。
【０００４】
使用者２は、携帯電子機器１の使用開始に先立ち、個人認証に用いる右または左の目２ａを携帯電子機器１の鏡１ｂに写し、この鏡１ｂに写った目を見ながら瞳や外形がカメラ窓１ｃの外形に重なるように、携帯電子機器１との相対距離や高さなどを調整する。
【０００５】
調整が終わった段階で、使用者２が携帯電子機器１の操作ボタン１ｄを押下する。これにより、機器内部に設けられたカメラにより、カメラ窓１ｃを通して使用者２の瞳２ａが撮影される。撮影された瞳２ａの画像データは、予め携帯電子機器１に記憶されている使用者本人の虹彩データと比較され、一致が確認された時点で、この携帯電子機器１の使用が可能になる。
【０００６】
このようなカメラ窓１ｃが形成された鏡１ｂと、このカメラ窓１ｃを通して外部を撮影するカメラを設けることにより、使用者２の瞳２ａを正確に撮影することができ、精度の高い個人認証が可能になるとされている。
【０００７】
【特許文献１】特開２００５−２０３９１３号公報
【特許文献２】特開２０００−８３９３０号公報
【発明の開示】
【発明が解決しようとする課題】
【０００８】
前記携帯電子機器による個人認証方法は、使用者２が携帯電子機器１を手に持って位置調整を行うので、個人認証に用いる側の目２ａを確実に撮影することができる。しかしながら、例えば、虹彩データを用いてセキュリティ・エリアへの入場管理を行う目画像取得装置では、この目画像取得装置が固定されており、利用者との距離も比較的離れていることが多い。
【０００９】
このような場合、目位置合わせ装置を設け、使用者が何らかの指標を取得対象の目で注視し、その位置が適正か否かによって目位置合わせ装置がその旨を利用者に伝えるようにしている。このような位置合わせ方法としては、撮影用のカメラ付近に設けられた鏡に写した自分の目を確認したり、ホログラムやレンチキュラー等の向きによって見え方が変化するものを用いたり、画像処理結果を反映して音声情報等で適正位置へ誘導したりするものがある。
【００１０】
しかし、目位置合わせ装置と利用者の位置が離れると、誤って取得対象とは反対側の目を合わせたり、鏡面に写った反対側の目を取得対象の目と勘違いしたりすることにより、個人認証に用いる側の目とは別の目を撮影して個人認証が不可能になることがある。また、目位置合わせのために取得対象でない方の目を閉じたり、何らかの形で塞いだりすることにより、利用者の負担が大きくなる。特に、片方の目を閉じた場合には、取得対象の目の開きが悪くなり、個人認証に用いる目を正確に撮影することができずに、精度の高い個人認証ができなくなることがあった。
【００１１】
本発明は、利用者の個人認証に用いる側の目の画像を、比較的離れた位置から誤ることなく撮影することができる目画像取得装置を提供することを目的としている。
【課題を解決するための手段】
【００１２】
本発明の目画像取得装置は、認識対象の人物の片方の目を撮影してその画像データを取得する撮影手段と、前記撮影手段の右側または左側で該撮影手段のレンズの中心から平均的な瞳孔間距離の２分の１だけ離れた位置に設けられて前記人物の目を適切な撮影位置に誘導するための誘導手段とを備えたことを特徴としている。
【発明の効果】
【００１３】
本発明では、撮影手段の右側または左側でそのレンズの中心から平均的な瞳孔間距離の２分の１だけ離れた位置に、利用者の目を適切な撮影位置に誘導するための目印である誘導手段を備えている。これにより、利用者が自分の鼻筋を目印に合わせることにより、認識対象の目がレンズのほぼ正面に位置し、認識対象の片方の目を間違いなく撮影することが出来るという効果がある。
【発明を実施するための最良の形態】
【００１４】
この発明の前記並びにその他の目的と新規な特徴は、次の好ましい実施例の説明を添付図面と照らし合わせて読むと、より完全に明らかになるであろう。但し、図面は、もっぱら解説のためのものであって、この発明の範囲を限定するものではない。
【実施例１】
【００１５】
図１は、本発明の実施例１を示す目画像取得装置の構成図である。
この目画像取得装置は、個人認証を行うために、認識対象である利用者２の片方の目の画像データを取得するもので、撮影手段（カメラ１１）と誘導手段（目印１２）で構成されている。カメラ１１は、人物の片方の目（例えば、左目２ａ）を撮影してその画像データを取得するための、画角が比較的広いレンズを備えたディジタル方式のカメラである。撮影された利用者２の左目２ａの画像データは、図示しない個人認証装置に送られてアイリスを利用した個人認証が行われるようになっている。カメラ１１の右側には、利用者２の目を適切な撮影位置に誘導するために、利用者２が自分の鼻筋を合わせるための目印１２が配置されている。この目印１２とカメラ１１のレンズの中心間の距離は、平均的な瞳孔間距離Ｌの１／２に設定されている。
【００１６】
なお、「日本人の人体計測データ」（社団法人：人間生活工学研究センター、１９９７）によると、日本人の成人の瞳孔間距離は、平均値が約６３ｍｍで、５６〜７２ｍｍに分布しているとされている。
【００１７】
この目画像取得装置で左目２ａの画像データを撮影する場合、利用者２は自分の鼻筋が目印１２の正面に来るように構える。これにより、カメラ１１のレンズのほぼ正面に利用者２の左目２ａが位置することになり、カメラ１１によって利用者２の左目２ａの画像データが撮影される。
【００１８】
以上のように、この実施例１の目画像取得装置は、目の画像を撮影するカメラ１１のレンズの右側に、平均的瞳孔間距離Ｌの１／２だけ離れた位置に利用者２の鼻筋を合わせるための目印１２を設けている。これにより、利用者２は目印１２に鼻筋を合わせることで、自ずと個人認証を行うための左目２ａをカメラ１１の撮影範囲に向けることができる。また、カメラ１１は画角の広いレンズを有しているので、瞳孔間距離に個人差があっても、確実に左目２ａの画像データを撮影することができるという利点がある。
【実施例２】
【００１９】
図３は、本発明の実施例２を示す目画像取得装置の構成図であり、図１中の要素と共通の要素には共通の符号が付されている。
【００２０】
この目画像取得装置は、図１中の目印１２に代えて、この目印１２と同じ位置に、自分の目の位置を確認して合わせるための鏡１３を設けたものである。鏡１３は、鏡面に垂直な線（法線）がカメラ１１のレンズの光軸と平行になるように配置されている。更に、鏡１３の鏡面には、写った目の位置を合わせるための目印１３ａが付けられている。
【００２１】
この目画像取得装置で左目２ａの画像データを撮影する場合、利用者２は自分の鼻筋が鏡３の正面に来るように構える。更に、利用者２は、右目２ｃで鏡１３の鏡面を見たときに目印１３ａの内部に左目２ａが写り、左目２ａで鏡面を見たときに目印１３ａの内部に右目２ｃが写るように顔の位置を調整する。これにより、利用者２の鼻２ｂが鏡１３の真正面に位置し、カメラ１１のレンズのほぼ正面には利用者２の左目２ａが位置することになる。従って、カメラ１１によって利用者２の左目２ａの画像データが撮影される。
【００２２】
以上のように、この実施例２の目画像取得装置は、カメラ１１のレンズの右側で、平均的瞳孔間距離Ｌの１／２だけ離れた位置に利用者２の鼻筋を合わせて、目の位置を調整するための鏡１３を設けている。これにより、利用者２は鏡１３に左右の目２ａ，２ｃが写るように顔の位置を合わせることで、自ずと個人認証を行うための左目２ａをカメラ１１の撮影範囲に向けると共に、カメラ１１と顔との距離も所定の位置に合わせることができる。また、カメラ１１は画角の広いレンズを有しているので、瞳孔間距離に個人差があっても、確実に左目２ａの画像データを撮影することができるという利点がある。
【実施例３】
【００２３】
図４は、本発明の実施例３を示す目画像取得装置の構成図であり、図１中の要素と共通の要素には共通の符号が付されている。
【００２４】
この目画像取得装置は、図１中の目印１２に代えて、位置合わせのための鏡１４Ｒ，１４Ｌを設けたものである。鏡１４Ｒは、カメラ１１に向かって右側に、鏡面に垂直な線がカメラ１１のレンズの光軸と平行になるように配置され、この鏡１４Ｒの中心とカメラ１１のレンズの間の距離は、平均的な瞳孔間距離Ｌの１／４に設定されている。即ち、この鏡１４Ｒは、図４に示すように、利用者２が鏡面に写った自分の鼻２ｂを取得対象の左目２ａで確認することによって、この左目２ａをカメラ１１のレンズの正面に位置合わせするためのものである。
【００２５】
一方、鏡１４Ｌは、カメラ１１に向かって左側に、鏡面に垂直な線がカメラ１１のレンズの光軸と平行になるように配置され、この鏡１４Ｌの中心とカメラ１１のレンズの間の距離は、平均的な瞳孔間距離Ｌの１／４に設定されている。即ち、この鏡１４Ｌは、図４に示すように、利用者２が鏡面に自分の鼻２ｂが写っていないこと確認することによって、左目２ａをカメラ１１のレンズの正面に位置合わせするためのものである。
【００２６】
この目画像取得装置で左目２ａの画像データを撮影する場合、利用者２は右側の鏡１４Ｒに自分の鼻２ｂが写るように顔の位置を調整する。更に、利用者２は、左側の鏡１４Ｌに自分の鼻が写っていないことを確認する。これにより、鏡１４Ｌが利用者２の左目２ａと鼻２ｂの中央の正面に位置し、カメラ１１のレンズの正面には利用者２の左目２ａが位置することになる。従って、カメラ１１によって利用者２の左目２ａの画像データが撮影される。
【００２７】
なお、もしも右側の鏡１４Ｒには鼻が写っておらず、左側の鏡１４Ｌに自分の鼻２ｂが写っている場合は、右目２ｃがカメラ１１の正面に位置していることになる。また、左右側の鏡１４Ｌ，１４Ｒに鼻が写っている場合は、鼻２ｂがカメラ１１の正面に位置していることになる。
【００２８】
以上のように、この実施例３の目画像取得装置は、カメラ１１のレンズの両側に、平均的瞳孔間距離Ｌの１／４だけ離れた位置に利用者２の鼻２ｂを写すための鏡１４Ｒ，１４Ｌを設けている。これにより、利用者２は鏡１４Ｌのみに自分の鼻２ｂが写るように顔の位置を合わせることで、自ずと個人認証を行うための左目２ａをカメラ１１の撮影範囲に向けると共に、カメラ１１と顔との距離も所定の位置に合わせることができる。また、カメラ１１は画角の広いレンズを有しているので、瞳孔間距離に個人差があっても、確実に左目２ａの画像データを撮影することができるという利点がある。更に、カメラ１１のレンズと鏡１４Ｒ，１４Ｌの距離はＬ／４であるので、装置を小型化することができるという利点がある。
【実施例４】
【００２９】
図５は、本発明の実施例４を示す目画像取得装置の構成図であり、図１中の要素と共通の要素には共通の符号が付されている。
【００３０】
この目画像取得装置は、図１中のカメラ１１に代えて、画角が比較的狭いレンズを備えたカメラ１１Ａを設けると共に、このカメラ１１Ａから出力される画像データに基づいて利用者を適切な撮影位置に誘導するため指示を行う誘導指示手段（位置判定部１５と指示部１６Ｒ，１６Ｌ）を追加したものである。
【００３１】
位置判定部１５は、カメラ１１Ａから出力される画像データから撮影された目を切り出し、その目の画像が画像データに完全に収まっているかを判定するものである。位置判定部１５は、目の画像の一部が画像データからはみ出している場合、利用者を適切な撮影位置に誘導するための制御信号を指示部１６Ｒ，１６Ｌに出力するようになっている。指示部１６Ｒ，１６Ｌは、位置判定部１５からの制御信号に従って、利用者２に対する誘導指示の表示を行うものである。
【００３２】
なお、位置判定部１５における具体的な処理方法は、例えば、前記特許文献２に記載されている。また、このような処理は、図示しない個人認証装置内で通常行われているので、この個人認証装置で得られた処理結果の情報を利用することもできる。
【００３３】
この目画像取得装置で左目２ａの画像データを撮影する場合、利用者２は自分の鼻筋が目印１２の正面に来るように構える。これにより、カメラ１１Ａのレンズのほぼ正面に利用者２の左目２ａが位置することになり、カメラ１１Ａによって利用者２の左目２ａの画像データが撮影される。
【００３４】
画像データは、図示しない個人認証装置に送られると共に、位置判定部１５に与えられる。位置判定部１５では、与えられた画像データから目の画像を切り出し、この画像データ内に目の画像が完全に収まっているか否かを判定する。完全に収まっている場合には、画像データの取得は終了する。
【００３５】
例えば、図５に示すように、位置判定部１５で画像データにおける目の右側が欠けていると判定された場合には、位置判定部１５から指示部１６Ｌに対して制御信号が送られる。これにより、指示部１６Ｌから利用者２に左側へ移動してもらうための誘導指示の表示が行われる。そして、画像データ内に目の画像が完全に収まると、画像データの取得は終了し、指示部１６Ｌ，１６Ｒによる誘導表示も停止する。
【００３６】
以上のように、この実施例４の目画像取得装置は、カメラ１１Ａで撮影した画像データ内に目の画像が完全に収まるように利用者の撮影位置を誘導するための誘導指示手段を有している。これにより、カメラ１１Ａは画角の狭いレンズを使用することが出来るので、得られた画像データに含まれる目以外の余計な画像の割合が減少し、画像処理量の削減と認識精度の向上を図ることが出来るという利点がある。
【００３７】
なお、本発明は、上記実施例に限定されず、種々の変形が可能である。この変形例としては、例えば、次のようなものがある。
（ａ）  個人認証を行うために利用者２の左目２ａの画像データを取得する場合について説明したが、右目の画像データを取得する場合は、目印１２や鏡１３を、カメラ１１の左側に配置すればよい。
（ｂ）  図１中の目印１２の代わりに、カメラ１１の筐体の端部を利用しても良い。即ち、例えば横幅がＬの筐体の中央にレンズを付けて、カメラ１１の筐体の端部がレンズの中心からＬ／２の位置になるようにすれば良い。
（ｃ）  図３中の鏡１３の鏡面には、利用者２の左目２ａが丁度入るような目印１３ａが設けられているが、この目印１３ａは、必ずしも必要ではない。これとは逆に、図４中の鏡１４に、写った利用者２の鼻２ｂの位置を確認するための目印を設けても良い。
（ｄ）  図５中の指示部１６Ｒ，１６Ｌは、矢印の表示によって利用者２に対する誘導指示を行うものであるが、指示の方法は左右の矢印の表示に限らず、その他の形式の表示や音声を使用することもできる。
（ｅ）  実施例４における誘導指示手段（例えば、位置判定部１５と指示部１６Ｒ，１６Ｌ）を、実施例２や実施例３に追加することができる。これにより、実施例２や実施例３においても、画角の比較的狭いカメラを用いて、画像処理量の削減と認識精度の向上を図ることが出来る。
（ｆ）  鏡１３，１４Ｌ，１４Ｒは平面鏡でも良いが、適切な曲率を有する凸面鏡を用いると位置確認が容易になる。
【図面の簡単な説明】
【００３８】
【図１】本発明の実施例１を示す目画像取得装置の構成図である。
【図２】従来の携帯電子機器による個人認証方法の説明図である。
【図３】本発明の実施例２を示す目画像取得装置の構成図である。
【図４】本発明の実施例３を示す目画像取得装置の構成図である。
【図５】本発明の実施例４を示す目画像取得装置の構成図である。
【符号の説明】
【００３９】
２    利用者
２ａ    左目
２ｂ    鼻
２ｃ    右目
１１，１１Ａ    カメラ
１２    目印
１３，１４Ｌ，１４Ｒ    鏡
１５    位置判定部
１６Ｌ，１６Ｒ    指示部
【図１】
2009070068.tif 000003
【図２】
2009070068.tif 000004
【図３】
2009070068.tif 000005
【図４】
2009070068.tif 000006
【図５】
2009070068.tif 000007